(57)【要約】【課題】交差点における運転者の安全確認行動の評価を効率的かつ精度よく行うことができる運転評価装置を提供すること。【解決手段】車載機で検出された検出データを用いて、運転者の運転評価を行う運転評価装置であって、運転評価を行う交差点で検出された前記検出データを用いて判別用データを取得する判別用データ取得部と、前記判別用データを用いて、前記運転評価を行う交差点の形状パターンを判別する交差点判別部と、交差点の形状パターン毎に、安全確認動作の評価条件が設定された評価テーブルから、前記判別された交差点の形状パターンに対応する評価条件を選択する評価条件選択部と、選択された前記評価条件と前記運転評価を行う交差点で検出された前記検出データとに基づいて、交差点における安全確認動作を評価する安全確認評価部とを装備する。【選択図】図８
2019159641.tif 000002
【特許請求の範囲】
【請求項１】
車載機で検出された、運転者の状態、車両の位置、及び該車両の挙動を含む検出データを用いて、運転者の運転評価を行う運転評価装置であって、
前記運転評価を行う交差点で検出された前記検出データのうちの少なくともいずれかを用いて判別用データを取得する判別用データ取得部と、
前記判別用データを用いて、前記運転評価を行う交差点の形状パターンを判別する交差点判別部と、
交差点の形状パターン毎に、運転者が行うべき安全確認動作の評価条件が設定された評価テーブルが記憶された評価テーブル記憶部と、
前記評価テーブルから、前記交差点判別部で判別された前記交差点の形状パターンに対応する前記評価条件を選択する評価条件選択部と、
該評価条件選択部により選択された前記評価条件と、前記運転評価を行う交差点で検出された前記検出データとに基づいて、前記交差点における運転者の安全確認動作を評価する安全確認評価部とを備えていることを特徴とする運転評価装置。
【請求項２】
前記運転評価を行う交差点で検出された前記検出データを用いて、前記運転評価を行う交差点で曲がった方向を推定する方向推定部を備え、
前記評価テーブルには、
交差点の形状パターンと交差点で曲がる方向との組み合わせ毎に、運転者が行うべき安全確認動作の評価条件が設定され、
前記評価条件選択部が、
前記評価テーブルから、前記交差点判別部で判別された前記交差点の形状パターンと、前記方向推定部で推定された前記交差点で曲がった方向とに対応する前記評価条件を選択するものであることを特徴とする請求項１記載の運転評価装置。
【請求項３】
前記車両が交差点を通過しているときに前記車載機で検出された前記検出データを蓄積する検出データ蓄積部と、
前記判別用データが蓄積される判別用データ蓄積部とを備え、
前記判別用データ取得部が、
前記検出データ蓄積部に蓄積された、前記運転評価を行う交差点で検出された前記検出データのうちの少なくともいずれかを用いて、前記判別用データ蓄積部から前記判別用データを取得するものであることを特徴とする請求項１又は請求項２記載の運転評価装置。
【請求項４】
前記判別用データ蓄積部に蓄積される前記判別用データには、前記車両が通過した交差点を含む交差点地図を抽出可能な地図データが含まれ、
前記判別用データ取得部により取得される前記判別用データが、前記地図データから抽出された、前記車両が通過した交差点を含む交差点地図データであり、
前記交差点判別部が、前記交差点地図データに基づいて、前記運転評価を行う交差点の形状パターンを判別するものであることを特徴とする請求項３記載の運転評価装置。
【請求項５】
前記交差点判別部が、
入力層と中間層と出力層とを含むニューラルネットワークを備え、
前記入力層に、前記判別用データとして前記交差点地図データが入力され、
前記中間層で、前記交差点地図データに対し、重み付け係数に基づく演算が実行され、
前記出力層から前記交差点の形状パターンの判別結果が出力されるように構成されていることを特徴とする請求項４記載の運転評価装置。
【請求項６】
前記検出データには、前記車両の外界状況を撮像又は検出した外界画像データがさらに含まれ、
前記判別用データ蓄積部に蓄積される前記判別用データには、前記車載機から送信されてきた前記外界画像データが含まれ、
前記判別用データ取得部により取得される前記判別用データが、前記車両が通過した交差点で撮像又は検出された前記外界画像データであり、
前記交差点判別部が、前記外界画像データに基づいて、前記運転評価を行う交差点の形状パターンを判別するものであることを特徴とする請求項３記載の運転評価装置。
【請求項７】
前記交差点判別部が、
入力層と中間層と出力層とを含むニューラルネットワークを備え、
前記入力層に、前記判別用データとして前記外界画像データが入力され、
前記中間層で、前記外界画像データに対し、重み付け係数に基づく演算が実行され、
前記出力層から前記交差点の形状パターンの判別結果が出力されるように構成されていることを特徴とする請求項６記載の運転評価装置。
【請求項８】
前記評価テーブルの前記評価条件には、前記運転者が行うべき安全確認動作のタイミング、確認角度、及び確認時間が含まれ、
前記安全確認評価部が、前記運転評価を行う交差点毎に、前記タイミング、前記確認角度、及び前記確認時間の評価を行い、各評価を基に点数化又はランク付けした評価結果を出力することを特徴とする請求項１〜７のいずれかの項に記載の運転評価装置。
【請求項９】
車両に搭載される車載機であって、
前記車両の運転者の状態を検出する運転者モニタリング部と、
前記車両の位置を検出する位置検出部と、
戦記車両の挙動を検出する挙動検出部と、
前記運転者モニタリング部、前記位置検出部、及び前記挙動検出部で検出されたデータを、前記運転者の安全確認動作を評価する運転評価装置に出力する出力部とを備えていることを特徴とする車載機。
【請求項１０】
請求項１〜８のいずれかの項に記載の運転評価装置と、
請求項９記載の車載機とを含んで構成されていることを特徴とする運転評価システム。
【請求項１１】
車載機で検出された、運転者の状態、車両の位置、及び該車両の挙動を含む検出データを用いて、運転者の運転評価を行う運転評価方法であって、
前記運転評価を行う交差点で検出された前記検出データのうちの少なくともいずれかを用いて、前記運転評価を行う交差点の形状パターンの判別に用いる判別用データを取得する第１のステップと、
該第１のステップにより取得された前記判別用データを用いて、前記運転評価を行う交差点の形状パターンを判別する第２のステップと、
交差点の形状パターン毎に、運転者が行うべき安全確認動作の評価条件が設定された評価テーブルから、前記第２のステップで判別された前記交差点の形状パターンに対応する前記評価条件を選択する第３のステップと、
該第３のステップにより選択された前記評価条件と、前記運転評価を行う交差点で検出された前記検出データとに基づいて、前記交差点における運転者の安全確認動作を評価する第４のステップとを含むステップを実行させることを特徴とする運転評価方法。
【請求項１２】
車載機で検出された、運転者の状態、車両の位置、及び該車両の挙動を含む検出データを用いて、運転者の運転評価を行う処理を少なくとも１つのコンピュータに実行させるための運転評価プログラムであって、
前記少なくとも１つのコンピュータに、
前記運転評価を行う交差点で検出された前記検出データのうちの少なくともいずれかを用いて、前記運転評価を行う交差点の形状パターンの判別に用いる判別用データを取得する第１のステップと、
該第１のステップにより取得された前記判別用データを用いて、前記運転評価を行う交差点の形状パターンを判別する第２のステップと、
交差点の形状パターン毎に、運転者が行うべき安全確認動作の評価条件が設定された評価テーブルから、前記第２のステップで判別された前記交差点の形状パターンに対応する前記評価条件を選択する第３のステップと、
該第３のステップにより選択された前記評価条件と、前記運転評価を行う交差点で検出された前記検出データとに基づいて、前記交差点における運転者の安全確認動作を評価する第４のステップとを実行させることを特徴とする運転評価プログラム。
【発明の詳細な説明】
【技術分野】
【０００１】
本発明は運転評価装置、車載機、これらを備えた運転評価システム、運転評価方法、及び運転評価プログラムに関する。
【背景技術】
【０００２】
特許文献１には、所定箇所に対する自動車の運転者の運転行動を評価する、運転行動自動評価システムが開示されている。
特許文献１記載の運転行動自動評価システムは、計測制御用コンピュータと、解析用コンピュータとを含んで構成され、前記解析用コンピュータには、危険個所に関する情報が予め記憶されている。前記危険個所の情報には、名称、座標および特徴等が含まれ、また、当該危険個所毎に設定された事故予防動作の定義データも記憶されている。
【０００３】
特許文献１記載の運転行動自動評価システムは、運転者の頭部に装着された角速度センサで検出された角速度データ、自動車の位置データ、及び前記定義データに基づいて、前記危険個所において前記事故予防動作が正しくなされたか否かを評価する構成となっている。
【０００４】
［発明が解決しようとする課題］
特許文献１記載の運転行動自動評価システムでは、前記危険個所の情報を危険個所毎に記憶しておく必要がある。特許文献１に記載されているように、運転者に走行させるコースが、教習所や施設等の所定のコースに設定されている場合は、設定すべき危険個所の数も限られるため、前記危険個所の情報量も少なくて済む。
【０００５】
しかしながら、運転者に走行させるコースが定まっていない場合や運転者が広域エリアを走行する場合、危険個所の数が増大する。そのため、全ての危険個所について予め個々に前記定義データを設定しておくことは効率的ではなく、前記危険個所の情報に漏れがあった場合、当該危険個所における前記事故予防動作の評価を正確に行うことができない。さらに、各危険個所において一律の条件で前記事故予防動作の評価を行う場合、評価の精度が低下してしまうという課題があった。
【先行技術文献】
【特許文献】
【０００６】
【特許文献１】特許第５４０８５７２号公報
【発明の概要】
【課題を解決するための手段及びその効果】
【０００７】
本発明は上記課題に鑑みなされたものであって、交差点における運転者の安全確認動作の評価を効率的かつ精度良く実行することができる運転評価装置、車載機、これらを備えた運転評価システム、運転評価方法、及び運転評価プログラムを提供することを目的としている。
【０００８】
上記目的を達成するために本開示に係る運転評価装置（１）は、車載機で検出された、運転者の状態、車両の位置、及び該車両の挙動を含む検出データを用いて、運転者の運転評価を行う運転評価装置であって、
前記運転評価を行う交差点で検出された前記検出データのうちの少なくともいずれかを用いて判別用データを取得する判別用データ取得部と、
前記判別用データを用いて、前記運転評価を行う交差点の形状パターンを判別する交差点判別部と、
交差点の形状パターン毎に、運転者が行うべき安全確認動作の評価条件が設定された評価テーブルが記憶された評価テーブル記憶部と、
前記評価テーブルから、前記交差点判別部で判別された前記交差点の形状パターンに対応する前記評価条件を選択する評価条件選択部と、
該評価条件選択部により選択された前記評価条件と、前記運転評価を行う交差点で検出された前記検出データとに基づいて、前記交差点における運転者の安全確認動作を評価する安全確認評価部とを備えていることを特徴としている。
【０００９】
上記運転評価装置（１）によれば、前記運転評価を行う交差点で検出された前記検出データのうちの少なくともいずれかを用いて前記判別用データが取得され、該判別用データを用いて、前記運転評価を行う交差点の形状パターンが判別される。そして、判別された前記交差点の形状パターンに対応する前記評価条件が前記評価テーブルから選択され、選択された前記評価条件と、前記運転評価を行う交差点で検出された前記検出データとに基づいて、前記交差点における運転者の安全確認動作が評価される。
したがって、前記運転評価を行う交差点の形状パターンに対応する前記評価条件で、交差点における運転者の安全確認動作の評価を効率的かつ精度良く実行することができる。
【００１０】
また本開示に係る運転評価装置（２）は、上記運転評価装置（１）において、前記運転評価を行う交差点で検出された前記検出データを用いて、前記運転評価を行う交差点で曲がった方向を推定する方向推定部を備え、
前記評価テーブルには、
交差点の形状パターンと交差点で曲がる方向との組み合わせ毎に、運転者が行うべき安全確認動作の評価条件が設定され、
前記評価条件選択部が、
前記評価テーブルから、前記交差点判別部で判別された前記交差点の形状パターンと、前記方向推定部で推定された前記交差点で曲がった方向とに対応する前記評価条件を選択するものであることを特徴としている。
【００１１】
上記運転評価装置（２）によれば、前記評価テーブルから選択される前記評価条件が、前記運転評価を行う交差点の形状パターンと、前記交差点で曲がった方向とに対応しているので、交差点における運転者の安全確認動作をより精度良く評価することができる。
【００１２】
また本開示に係る運転評価装置（３）は、上記運転評価装置（１）又は（２）において、前記車両が交差点を通過しているときに前記車載機で検出された前記検出データを蓄積する検出データ蓄積部と、
前記判別用データが蓄積される判別用データ蓄積部とを備え、
前記判別用データ取得部が、
前記検出データ蓄積部に蓄積された、前記運転評価を行う交差点で検出された前記検出データのうちの少なくともいずれかを用いて、前記判別用データ蓄積部から前記判別用データを取得するものであることを特徴としている。
【００１３】
上記運転評価装置（３）によれば、前記検出データ蓄積部を備えているので、前記車載機毎に前記検出データを蓄積することができる。また、前記判別用データ蓄積部に前記判別用データを蓄積しておくことができる。したがって、前記車載機の数が増えて、評価する処理量が増えた場合であっても、前記車載機毎に適切な前記判別用データを効率良く取得することができ、交差点における運転者毎の安全確認動作の評価処理を効率良く実行することができる。
【００１４】
また本開示に係る運転評価装置（４）は、上記運転評価装置（３）において、前記判別用データ蓄積部に蓄積される前記判別用データには、前記車両が通過した交差点を含む交差点地図を抽出可能な地図データが含まれ、
前記判別用データ取得部により取得される前記判別用データが、前記地図データから抽出された、前記車両が通過した交差点を含む交差点地図データであり、
前記交差点判別部が、前記交差点地図データに基づいて、前記運転評価を行う交差点の形状パターンを判別するものであることを特徴としている。
【００１５】
上記運転評価装置（４）によれば、前記運転評価を行う交差点で検出された前記検出データを用いて、前記判別用データ蓄積部から前記交差点地図データが取得され、該交差点地図データを用いて、前記運転評価を行う交差点の形状パターンが判別される。したがって、前記運転評価を行う交差点の形状パターンの判別を精度良く実行することができる。
【００１６】
また本開示に係る運転評価装置（５）は、上記運転評価装置（４）において、
前記交差点判別部が、
入力層と中間層と出力層とを含むニューラルネットワークを備え、
前記入力層に、前記判別用データとして前記交差点地図データが入力され、
前記中間層で、前記交差点地図データに対し、重み付け係数に基づく演算が実行され、
前記出力層から前記交差点の形状パターンの判別結果が出力されることを特徴としている。
【００１７】
上記運転評価装置（５）によれば、前記交差点判別部に前記ニューラルネットワークを用いることで、前記運転評価を行う交差点の形状パターンの判別を効率的かつ精度良く実行することができる。
【００１８】
また本開示に係る運転評価装置（６）は、上記運転評価装置（３）において、前記検出データには、前記車両の外界状況を撮像又は検出した外界画像データがさらに含まれ、
前記判別用データ蓄積部に蓄積される前記判別用データには、前記車載機から送信されてきた前記外界画像データが含まれ、
前記判別用データ取得部により取得される前記判別用データが、前記車両が通過した交差点で撮像又は検出された前記外界画像データであり、
前記交差点判別部が、前記外界画像データに基づいて、前記運転評価を行う交差点の形状パターンを判別するものであることを特徴としている。
【００１９】
上記運転評価装置（６）によれば、前記判別用データ蓄積部に、前記判別用データとして前記外界画像データが蓄積され、該外界画像データを用いて、前記運転評価を行う交差点の形状が判別される。したがって、前記運転評価を行う交差点の形状パターンを現実の外界状況を基に精度良く判別することができる。
【００２０】
また本開示に係る運転評価装置（７）は、上記運転評価装置（６）において、
前記交差点判別部が、
入力層と中間層と出力層とを含むニューラルネットワークを備え、
前記入力層に、前記判別用データとして前記外界画像データが入力され、
前記中間層で、前記外界画像データに対し、重み付け係数に基づく演算が実行され、
前記出力層から前記交差点の形状パターンの判別結果が出力されることを特徴としている。
【００２１】
上記運転評価装置（７）によれば、前記交差点判別部に前記ニューラルネットワークを用いることで、前記運転評価を行う交差点の形状パターンの判別を効率的かつ精度良く実行することができる。
【００２２】
また本開示に係る運転評価装置（８）は、上記運転評価装置（１）〜（７）のいずれかにおいて、前記評価テーブルの前記評価条件には、前記運転者が行うべき安全確認動作のタイミング、確認角度、及び確認時間が含まれ、
前記安全確認評価部が、前記運転評価を行う交差点毎に、前記タイミング、前記確認角度、及び前記確認時間の評価を行い、各評価を基に点数化又はランク付けした評価結果を演算することを特徴としている。
【００２３】
上記運転評価装置（８）によれば、各運転者の交差点における安全確認動作を総合的に評価することができ、また、前記評価結果を分かりやすい形態で出力することが可能となる。
【００２４】
また本開示に係る車載機（１）は、車両に搭載される車載機であって、
前記車両の運転者の状態を検出する運転者モニタリング部と、
前記車両の位置を検出する位置検出部と、
戦記車両の挙動を検出する挙動検出部と、
前記運転者モニタリング部、前記位置検出部、及び前記挙動検出部で検出されたデータを、前記運転者の安全確認動作を評価する運転評価装置に出力する出力部とを備えていることを特徴としている。
【００２５】
上記車載機（１）によれば、前記運転者の状態、前記車両の位置、及び該車両の挙動を含む検出データを前記運転評価装置に出力するので、前記運転評価装置において前記運転者の安全確認動作の評価を実行させることができ、前記車載機の処理負担を軽減することができる。
【００２６】
また本開示に係る運転評価システムは、上記運転評価装置（１）〜（８）のいずれかと、上記車載機（１）とを含んで構成されていることを特徴としている。
【００２７】
上記運転評価システムによれば、上記運転評価装置（１）〜（８）のいずれかと、上記車載機（１）とを含んで構成されているので、上記運転評価装置（１）〜（８）の効果を得ることができ、また、前記車載機の処理負担を軽減することができ、低コストで導入可能なシステムを構築することができる。
【００２８】
また本開示に係る運転評価方法は、車載機で検出された、運転者の状態、車両の位置、及び該車両の挙動を含む検出データを用いて、運転者の運転評価を行う運転評価方法であって、
前記運転評価を行う交差点で検出された前記検出データのうちの少なくともいずれかを用いて判別用データを取得する第１のステップと、
前記判別用データを用いて、前記運転評価を行う交差点の形状パターンを判別する第２のステップと、
交差点の形状パターン毎に、運転者が行うべき安全確認動作の評価条件が設定された評価テーブルから、前記第２のステップで判別された前記交差点の形状パターンに対応する前記評価条件を選択する第３のステップと、
該第３のステップにより選択された前記評価条件と、前記運転評価を行う交差点で検出された前記検出データとに基づいて、前記交差点における運転者の安全確認動作を評価する第４のステップとを含むステップを実行させることを特徴としている。
【００２９】
上記運転評価方法によれば、前記運転評価を行う交差点で検出された前記検出データのうちの少なくともいずれかを用いて前記判別用データを取得し、該判別用データを用いて、前記運転評価を行う交差点の形状パターンを判別する。そして、該判別した前記交差点の形状パターンに対応する前記評価条件を前記評価テーブルから選択し、該選択した前記評価条件と、前記運転評価を行う交差点で検出された前記検出データとに基づいて、前記交差点における運転者の安全確認動作を評価する。
したがって、前記運転評価を行う交差点の形状パターンに対応する前記評価条件で、交差点における運転者の安全確認動作の評価を効率的かつ精度良く実行することができる。
【００３０】
また本開示に係る運転評価プログラムは、車載機で検出された、運転者の状態、車両の位置、及び該車両の挙動を含む検出データを用いて、運転者の運転評価を行う処理を少なくとも１つのコンピュータに実行させるための運転評価プログラムであって、
前記少なくとも１つのコンピュータに、
前記運転評価を行う交差点で検出された前記検出データのうちの少なくともいずれかを用いて判別用データを取得する第１のステップと、
前記判別用データを用いて、前記運転評価を行う交差点の形状パターンを判別する第２のステップと、
交差点の形状パターン毎に、運転者が行うべき安全確認動作の評価条件が設定された評価テーブルから、前記第２のステップで判別された前記交差点の形状パターンに対応する前記評価条件を選択する第３のステップと、
該第３のステップにより選択された前記評価条件と、前記運転評価を行う交差点で検出された前記検出データとに基づいて、前記交差点における運転者の安全確認動作を評価する第４のステップとを実行させることを特徴としている。
【００３１】
上記運転評価プログラムによれば、前記運転評価を行う交差点で検出された前記検出データのうちの少なくともいずれかを用いて前記判別用データを取得し、該判別用データを用いて、前記運転評価を行う交差点の形状パターンを判別する。そして、該判別した前記交差点の形状パターンに対応する前記評価条件を前記評価テーブルから選択し、該選択した前記評価条件と、前記運転評価を行う交差点で検出された前記検出データとに基づいて、前記交差点における運転者の安全確認動作を評価する。
したがって、前記運転評価を行う交差点の形状パターンに対応する前記評価条件で、交差点における運転者の安全確認動作の評価を効率的かつ精度良く実行することができる運転評価装置を実現できる。
【図面の簡単な説明】
【００３２】
【図１】実施の形態に係る運転評価システムの適用例を示す概略構成図である。
【図２】実施の形態に係る運転評価システムで用いられる車載機の要部を概略的に示すブロック図である。
【図３】車載機からサーバ装置に送信される検出データの構造の一例を示す図である。
【図４】実施の形態に係る運転評価システムで用いられるサーバ装置の要部を概略的に示すブロック図である。
【図５】検出データ蓄積部に蓄積される検出データファイルの構造の一例を示す図である。
【図６】評価テーブル記憶部に記憶される評価テーブルの構造の一例を示す図である。
【図７】評価データ記憶部に記憶されている評価データファイルの構造の一例を示す図である。
【図８】実施の形態に係るサーバ装置の機能構成ブロック図である。
【図９】交差点判別部をニューラルネットワークで構成した例を示す概念図である。
【図１０】実施の形態に係る車載機のドライバモニタリング部が行う処理動作を示すフローチャートである。
【図１１】実施の形態に係る車載機の制御部が行う処理動作を示すフローチャートである。
【図１２】実施の形態に係るサーバ装置の中央処理装置が行う処理動作を示すフローチャートである。
【図１３】実施の形態に係るサーバ装置の中央処理装置が行う安全確認評価の処理動作を示すフローチャートである。
【発明を実施するための形態】
【００３３】
以下、本発明に係る運転評価装置、車載機、これらを備えた運転評価システム、運転評価方法、及び運転評価プログラムの実施の形態を図面に基づいて説明する。
【００３４】
［適用例］
図１は、実施の形態に係る運転評価システムの適用例を示す概略構成図である。
運転評価システム１は、車両２に乗車している運転者３の安全確認動作を評価するためのシステムであって、少なくとも１台以上の車両２に搭載される車載機１０と、各車載機１０で取得されたデータを処理する少なくとも１つ以上のサーバ装置４０とを含んで構成されている。サーバ装置４０が、本発明に係る「運転評価装置」の一例である。
【００３５】
車載機１０が搭載される車両２は、特に限定されない。本適用例では、各種の事業を営む事業者が管理する車両が対象とされ得る。例えば、運送事業者が管理するトラック、バス事業者が管理するバス、タクシー事業者が管理するタクシー、カーシェアリング事業者が管理するカーシェア車両、レンタカー事業者が管理するレンタカー、会社が所有している社有車、又はカーリース事業者からリースして使用する社有車などが対象とされ得る。
【００３６】
車載機１０とサーバ装置４０とは、通信ネットワーク４を介して通信可能に構成されている。通信ネットワーク４は、基地局を含む携帯電話網（３Ｇ／４Ｇ）や無線ＬＡＮ（Local Area Network）などの無線通信網を含んでもよいし、公衆電話網などの有線通信網、インターネット、又は専用網などの電気通信回線を含んでもよい。
【００３７】
また、車両２を管理する事業者の端末装置８０（以下、事業者端末という。）が、通信ネットワーク４を介してサーバ装置４０と通信可能に構成されている。事業者端末８０は、通信機能を備えたパーソナルコンピュータでもよいし、携帯電話、スマートフォン、又はタブレット装置などの携帯情報端末などでもよい。また、事業者端末８０が、通信ネットワーク４を介して車載機１０と通信可能に構成されてもよい。
【００３８】
サーバ装置４０は、通信ユニット４１、サーバコンピュータ５０、及び記憶ユニット６０を含んで構成されている。
【００３９】
運転評価システム１では、サーバ装置４０が、各車載機１０から送信されてきた、運転者３の状態、車両２の位置、及び車両２の挙動を含む検出データを蓄積し、蓄積された各車載機１０の検出データを用いて、各運転者３の運転評価を行う。該運転評価の項目には、交差点における運転者の安全確認動作を評価する項目が含まれている。サーバ装置４０は、例えば、各車載機１０から取得した検出データを用いて、各車両２の一日の運転が終了した後に、その日に通過した各交差点における安全確認動作の評価処理を実行してもよいし、又は一定期間毎に、該一定期間内に通過した各交差点における安全確認動作の評価処理を実行してもよく、運転評価処理の実行タイミングは特に限定されない。
【００４０】
ところで、道路の交差点には、一般的な十字路（四叉路）だけではなく、三叉路、丁字路、Ｙ字路、又は環状の交差点など、さまざまな形状（種類）の交差点がある。車両２が交差点を曲がる際に、運転者３が安全確認すべき行動、例えば、確認する方向、範囲、回数、又は時間などは、交差点の形状によって異なるのが一般的である。
【００４１】
交差点の形状に関係なく一律の評価条件で、交差点における安全確認動作の評価処理が実行される場合、前記評価条件が交差点の形状に適合していない場合には、正確な評価を行うことが難しい。
【００４２】
また、交差点毎に評価条件を予め個々に設定しようとした場合、特に広域エリアにおける設定を行う場合にあっては、交差点の数が増大する。そのため、全ての交差点について予め個々に評価条件を設定しておくことは効率的ではない。また、全ての交差点について予め個々に評価条件を設定しようとした場合、前記評価条件のデータを記憶するためのメモリ容量が増大するとともに、前記評価処理の実行時に、該当する交差点に対応する評価条件を選択する処理などの負担が増大する。さらに、多数の運転者３の評価処理を同時並行的に実行する場合、一層処理負担が増大してしまうという課題があった。
【００４３】
そこで、本実施の形態に係るサーバ装置４０は、運転評価を行う交差点の形状パターンを判別し、該判別した交差点の形状パターンに対応する評価条件と、前記運転評価を行う交差点で取得された検出データとに基づいて、各交差点における運転者３の安全確認動作を評価する処理を実行する。
例えば、サーバ装置４０は、運転評価を行う交差点で検出された前記検出データのうちの少なくともいずれか（例えば、位置データ）を用いて、前記運転評価を行う交差点の形状パターンの判別に用いる判別用データ（例えば、交差点部分の地図データ）を取得する。
【００４４】
その後、サーバ装置４０は、取得した前記判別用データを用いて、前記運転評価を行う交差点の形状パターンを判別する。例えば、前記地図データに含まれる交差点の形状認識を行い、交差点の形状パターンを判別する。なお、同じ交差点であっても、例えば、丁字路などの交差点では、車両２が交差点に進入する方向によって、運転者３から見た交差点の形状パターンは異なる。本実施の形態における交差点の形状パターンとは、車両２の運転者３から見た交差点の形状パターンのことをいう。
【００４５】
そして、サーバ装置４０は、十字路などの交差点の形状パターン毎に、運転者が行うべき安全確認動作の評価条件が設定された評価テーブルから、前記判別された前記交差点の形状パターンに対応する前記評価条件を選択する。
次にサーバ装置４０は、選択された前記評価条件と、前記運転評価を行う交差点で検出された前記検出データとに基づいて、前記交差点における運転者の安全確認動作を評価する処理を実行する。
【００４６】
また、サーバ装置４０は、運転評価を行う交差点で検出された前記検出データのうちの少なくともいずれか（例えば、角速度、又は位置データなど）を用いて、前記運転評価を行う交差点で曲がった方向を推定してもよい。
【００４７】
この場合、サーバ装置４０に、交差点の形状パターンと交差点で曲がる方向との組み合わせ毎に、運転者が行うべき安全確認動作の評価条件が記憶されている評価テーブルを装備しておく。サーバ装置４０は、前記評価テーブルから前記判別された前記交差点の形状パターンと、前記推定された前記交差点で曲がった方向とに対応する評価条件を選択し、選択された前記評価条件と、前記運転評価を行う交差点で検出された前記検出データとに基づいて、前記交差点における運転者の安全確認動作を評価する処理を実行してもよい。
【００４８】
係る構成によって、サーバ装置４０では、一律の評価条件を用いることなく、また、交差点毎に評価条件を予め個々に設定しておくことなく、各交差点の形状に応じて、各交差点における運転者３の安全確認動作の評価を効率的かつ精度良く実行することが可能となる。
【００４９】
［構成例］
図２は、実施の形態に係る運転評価システム１で用いられる車載機１０の要部を概略的に示すブロック図である。
車載機１０は、プラットフォーム部１１及びドライバモニタリング部２０を含んで構成されている。また、車載機１０にドライブレコーダ部３０が接続されている。
【００５０】
プラットフォーム部１１には、車両２の加速度を測定する加速度センサ１２、車両２の回転角速度を検出する角速度センサ１３、車両２の位置を検出するＧＰＳ（Global Positioning System）受信部１４が装備されている。また、プラットフォーム部１１には、通信ネットワーク４を介して外部機器と通信処理を行う通信部１５、ビープ音などの警告するための音、又は警告メッセージなどの音声を出力する報知部１６、記憶部１７、及び外部インターフェース（外部Ｉ／Ｆ）１８が装備されている。さらにプラットフォーム部１１には、各部の処理動作を制御する制御部１９が装備されている。加速度センサ１２と角速度センサ１３は、本発明に係る車載機の「挙動検出部」の一例である。ＧＰＳ受信部１４は、本発明に係る車載機の「位置検出部」の一例である。
【００５１】
加速度センサ１２は、例えば、ＸＹＺ軸の３方向の加速度を測定する３軸加速度センサで構成されている。３軸加速度センサには、静電容量型の他、ピエゾ抵抗型などの半導体方式の加速度センサを用いることができる。なお、加速度センサ１２には、２軸、１軸の加速度センサを用いてもよい。加速度センサ１２で測定された加速度データが、検出時刻と対応付けて制御部１９のＲＡＭ１９ｂに記憶される。
【００５２】
角速度センサ１３は、少なくとも鉛直軸回り（ヨー方向）の回転に応じた角速度、すなわち、車両２の左右方向への回転（旋回）に応じた角速度データを検出可能なセンサ、例えば、ジャイロセンサ（ヨーレートセンサともいう）で構成されている。
なお、角速度センサ１３には、鉛直軸回りの１軸ジャイロセンサの他、左右方向の水平軸回り（ピッチ方向）の角速度も検出する２軸ジャイロセンサ、さらに前後方向の水平軸回り（ロール方向）の角速度も検出する３軸ジャイロセンサを用いてもよい。これらジャイロセンサには、振動式ジャイロセンサの他、光学式、又は機械式のジャイロセンサを用いることができる。
【００５３】
また、角速度センサ１３の鉛直軸回りの角速度の検出方向については、例えば、時計回りを正方向に、反時計回りを負方向に設定してもよい。この場合、車両２が右方向に旋回すれば正の角速度データが検出され、左方向に旋回すれば負の角速度データが検出される。角速度センサ１３では、所定の周期（例えば、数十ｍｓ周期）で角速度が検出され、検出された角速度データが、例えば、検出時刻と対応付けて制御部１９のＲＡＭ１９ｂに記憶される。なお、加速度センサ１２と角速度センサ１３には、これらが一つのパッケージ内に実装された慣性センサを用いてもよい。
【００５４】
ＧＰＳ受信部１４は、アンテナ１４ａを介して人工衛星からのＧＰＳ信号を所定周期で受信して、現在地の位置データ（緯度、及び経度）を検出する。ＧＰＳ受信部１４で検出された位置データは、検出時刻と対応付けて制御部１９のＲＡＭ１９ｂに記憶される。なお、車両２の位置を検出する装置は、ＧＰＳ受信部１４に限定されるものではない。例えば、日本の準天頂衛星、ロシアのグロナス（GLONASS）、欧州のガリレオ（Galileo）、又は中国のコンパス（Compass）等の他の衛星測位システムに対応した測位装置を用いてもよい。
【００５５】
通信部１５は、本発明に係る車載機の「出力部」の一例であり、通信ネットワーク４を介してサーバ装置４０にデータ出力処理などを行う通信モジュールを含んで構成されている。
【００５６】
記憶部１７は、例えば、メモリーカードなどの着脱可能な記憶装置、又はハードディスクドライブ（ＨＤＤ）、ソリッドステートドライブ（ＳＳＤ）などの１つ以上の記憶装置で構成されている。記憶部１７には、例えば、加速度センサ１２、角速度センサ１３、ＧＰＳ受信部１４、ドライバモニタリング部２０、又はドライブレコーダ部３０から取得したデータなどが記憶される。
【００５７】
外部Ｉ／Ｆ１８は、ドライブレコーダ部３０などの車載機器との間でデータや信号の授受を行うためのインターフェース回路や接続コネクタなどを含んで構成されている。
【００５８】
制御部１９は、ＣＰＵ(Central Processing Unit)１９ａ、ＲＡＭ(Random Access Memory)１９ｂ、及びＲＯＭ(Read Only Memory)１９ｃを含むマイクロコンピュータで構成されている。制御部１９は、取得した各種データをＲＡＭ１９ｂ又は記憶部１７に記憶する処理を行う。また、制御部１９は、ＲＯＭ１９ｃに記憶されたプログラムの他、必要に応じてＲＡＭ１９ｂ又は記憶部１７に記憶された各種データを読み出して、プログラムを実行する。
【００５９】
ドライバモニタリング部２０は、ドライバカメラ２１、画像解析部２２、及びインターフェース（Ｉ／Ｆ）２３を含んで構成されている。
ドライバカメラ２１は、例えば、図示しないレンズ部、撮像素子部、光照射部、及びこれら各部を制御するカメラ制御部などを含んで構成されている。
【００６０】
前記撮像素子部は、例えば、ＣＣＤ(Charge Coupled Device)、又はＣＭＯＳ(Complementary Metal Oxide Semiconductor)などの撮像素子、フィルタ、及びマイクロレンズなどを含んで構成されている。前記撮像素子部は、可視領域の光を受けて撮像画像を形成できるものを含む他、近赤外線などの赤外線又は紫外線を受けて撮像画像を形成できるＣＣＤ、ＣＭＯＳ、或いはフォトダイオード等の赤外線センサを含んでもよい。前記光照射部は、ＬＥＤ(Light Emitting Diode)などの発光素子を含み、また、昼夜を問わず運転者の状態を撮像できるように赤外線ＬＥＤなどを用いてもよい。ドライバカメラ２１は、単眼カメラでもよいし、ステレオカメラであってもよい。
【００６１】
前記カメラ制御部は、例えば、プロセッサなどを含んで構成されている。前記カメラ制御部が、前記撮像素子部や前記光照射部を制御して、該光照射部から光（例えば、近赤外線など）を照射し、前記撮像素子部でその反射光を撮像する制御などを行う。ドライバカメラ２１は所定のフレームレート（例えば、毎秒３０〜６０フレーム）で画像を撮像し、ドライバカメラ２１で撮像された画像のデータが画像解析部２２へ出力される。
【００６２】
画像解析部２２は、例えば、画像処理プロセッサなどを含んで構成され、ドライバカメラ２１で撮像された画像から運転者の顔の向き、視線の方向、及び目開度のうちの少なくともいずれかの情報（運転者の状態）を検出する処理などを行う。画像解析部２２で検出された運転者の状態を示すデータ、画像データ、及び撮像日時データが、インターフェース（Ｉ／Ｆ）２３を介してプラットフォーム部１１に送出され、プラットフォーム部１１のＲＡＭ１９ｂ又は記憶部１７に記憶される。
【００６３】
画像解析部２２で検出される運転者の顔の向きは、例えば、運転者の顔のＸ軸（左右軸）回りの角度(上下の向き)であるピッチ（Pitch）角、顔のＹ軸(上下軸)回りの角度（左右の向き）であるヨー(Yaw)角、及び顔のＺ軸（前後軸）回りの角度（左右傾き）であるロール(Roll)角で示してよく、少なくとも左右の向きを示すヨー角が含まれる。またこれらの角度は、所定の基準方向に対する角度で示すことができ、例えば、前記基準方向が、運転者の正面方向に設定されてもよい。
【００６４】
また、画像解析部２２で検出される運転者の視線の方向は、例えば、画像から検出された、運転者の顔の向きと、目領域の情報（目頭、眼尻、又は瞳孔の位置など）との関係から推定され、３次元座標上における視線ベクトルＶ（３次元ベクトル）などで示すことができる。視線ベクトルＶは、例えば、運転者の顔のＸ軸（左右軸）回りの角度(上下の向き)であるピッチ角、顔のＹ軸(上下軸)回りの角度（左右の向き）であるヨー角、及び顔のＺ軸（前後軸）回りの角度（左右傾き）であるロール角のうち、少なくとも１つと、前記目領域の情報とから推定されたものでもよい。また、視線ベクトルＶは、その３次元ベクトルの一部の値を顔の向きのベクトルの値と共通（例えば、３次元座標の原点を共通）にして示したり、顔の向きのベクトルを基準とした相対角度（顔の向きのベクトルの相対値）で示したりしてもよい。
【００６５】
また、画像解析部２２で検出される運転者の目開度は、例えば、画像から検出された、運転者の目領域の情報（目頭、眼尻、上下のまぶたの位置、又は瞳孔の位置など）を基に推定される。
【００６６】
プラットフォーム部１１の外部Ｉ／Ｆ１８には、ドライブレコーダ部３０が接続されている。ドライブレコーダ部３０は、車外カメラ３１と車内カメラ３２とを含んで構成されている。
車外カメラ３１は、車両２の前方の画像を撮像するカメラであり、車内カメラ３２は、車両２の室内の画像を撮像するカメラである。車外カメラ３１と車内カメラ３２は、例えば、可視光カメラで構成され得るが、近赤外線カメラなどで構成してもよい。
車外カメラ３１と車内カメラ３２は、それぞれ所定のフレームレート（例えば、毎秒３０〜６０フレーム）で画像を撮像し、車外カメラ３１と車内カメラ３２で撮像された画像と撮像日時などのデータがプラットフォーム部１１へ送出され、プラットフォーム部１１のＲＡＭ１９ｂ又は記憶部１７に記憶される。なお、ドライブレコーダ部３０は車外カメラ３１のみ備えた構成であってもよい。
【００６７】
車載機１０は、プラットフォーム部１１とドライバモニタリング部２０とが１つの筐体内に収納された、コンパクトな構成にすることが可能である。その場合における車載機１０の車内設置箇所は、ドライバカメラ２１で少なくとも運転者の顔を含む視野を撮像できる位置であれば、特に限定されない。例えば車両２のダッシュボード中央付近の他、ハンドルコラム部分、メーターパネル付近、ルームミラー近傍位置、又はＡピラー部分などに設置してもよい。また、ドライバカメラ２１の仕様（例えば、画角や画素数（縦×横）など）及び位置姿勢（例えば、取付角度や所定の原点（ハンドル中央位置など）からの距離など）を含む情報がドライバモニタリング部２０又はプラットフォーム部１１に記憶されてもよい。また、ドライバモニタリング部２０は、プラットフォーム部１１と一体に構成される形態の他、プラットフォーム部１１と別体で構成されてもよい。
【００６８】
図３は、車載機１０からサーバ装置４０に送信される検出データの構造の一例を示す図である。
検出データには、車載機１０の識別情報（シリアルナンバー等）、送信日時、運転者の顔の向き（ピッチ、ヨー、及びロール）、視線の方向（ピッチ、及びヨー）、目開度（右目、及び左目）、車両の加速度（前後、左右、及び上下）、角速度（ヨー）、運転者画像、車外画像、車両の位置データ（緯度、及び経度）、及び走行速度が含まれている。なお、サーバ装置４０に送信される検出データの構造は、図３に示した構造に限定されるものではない。
検出データは、例えば、車載機１０が、車両２が交差点を通過したことを検出した場合に送信される。車載機１０は、例えば、角速度センサ１３で検出された回転角速度の値が所定の閾値（交差点進入を推定する閾値）を超えてから所定時間が経過した場合に、車両２が交差点を通過したと判断することが可能となっている。
【００６９】
図４は、実施の形態に係る運転評価システム１で用いられるサーバ装置４０の要部を概略的に示すブロック図である。
サーバ装置４０は、通信ユニット４１、サーバコンピュータ５０、及び記憶ユニット６０を含んで構成され、これらは通信バス４２を介して接続されている。
【００７０】
通信ユニット４１は、通信ネットワーク４を介して、車載機１０や事業者端末８０などとの間で各種のデータや信号の送受信を実現するための通信装置で構成されている。
【００７１】
サーバコンピュータ５０は、１つ以上のＣＰＵを含んで構成される中央処理装置５１と、制御プログラム５２が記憶されたメインメモリ５３とを含んで構成されている。中央処理装置５１は、メインメモリ５３中の制御プログラム５２に従って、各種処理を実行するようになっている。
【００７２】
記憶ユニット６０は、例えば、ハードディスクドライブ、ソリッドステートドライブなど、１つ以上の大容量記憶装置で構成され、検出データ蓄積部６１、判別用データ蓄積部６２、評価テーブル記憶部６３、評価データ記憶部６４、及び運転者情報記憶部６５を含んで構成されている。
【００７３】
検出データ蓄積部６１には、車両２が交差点を通過しているときに車載機１０で検出された検出データが、各車載機１０の識別情報に対応付けて蓄積される。
図５は、検出データ蓄積部６１に蓄積される検出データファイルの構造の一例を示す図である。
検出データファイル６１ａには、例えば、車載機１０の識別情報（シリアルナンバー等）に対応付けて、車載機１０から検出データが送信されてきた日時、運転者の顔の向き（ピッチ、ヨー、及びロール）、視線の方向（ピッチ、及びヨー）、目開度（右目、及び左目）、車両の加速度（前後、左右、及び上下）、角速度（ヨー）、運転者画像（撮像日時、フレーム番号、及び画像データ）、車外画像（撮像日時、フレーム番号、及び画像データ）、車両の位置データ（緯度、及び経度）、走行速度などの情報が蓄積される。
【００７４】
判別用データ蓄積部６２には、車両２が通過した交差点の形状パターンの判別に用いる判別用データが蓄積されている。
判別用データは、例えば、地図データである。地図データは、例えば、車両が通過した交差点を含む交差点地図の部分を抽出可能な地図データである。また、地図データは、交差点を含む道路の形状が認識できる地図データであれば、その種類は特に限定されない。例えば、平面地図画像データでもよいし、航空写真による地図画像データでもよい。また、カラー地図画像データでもよいし、道路部分と他の部分とが２値化処理された地図画像データでもよい。地図画像データは、少なくとも車両２が走行する範囲のデータがあればよく、もちろん、広域の地図画像データでもよい。また、地図画像以外のデータであってもよい。
【００７５】
評価テーブル記憶部６３には、交差点の形状パターンと交差点で曲がる方向との組み合わせ毎に、運転者が行うべき安全確認動作の評価条件が設定された評価テーブルが記憶されている。
【００７６】
図６は、評価テーブル記憶部６３に記憶されている評価テーブルの構造の一例を示す図である。評価テーブル６３ａの項目には、パターンナンバー、交差点形状パターン、曲がる方向、運転者が行うべき確認行動が含まれている。図６に示した評価テーブルは、日本等の、自動車が左側通行である場合の一例である。なお、自動車が左側通行の国と、自動車が右側通行の国とでは、右折と左折が逆になる。また、評価テーブルの内容は、国による交通法規に適応した内容に適宜設定される。
【００７７】
交差点形状パターンの項目には、予め類型化された交差点の形状パターンが登録されている。例えば、生活道路の十字路、生活道路の左側丁字路、生活道路の左側丁字路、幹線道路の十字路、幹線道路の左側丁字路、及び幹線道路の右側丁字路などが記憶されている。なお、左側丁字路とは、車両の進行方向に対して、左折と直進とが可能な交差点である。右側丁字路とは、車両の進行方向に対して、右折と直進とが可能な交差点である。また、交差点の信号の有無、または横断歩道の有無などの項目でさらに細かく類型化してもよい。
【００７８】
曲がる方向の項目には、各交差点形状パターンの交差点で曲がる方向、例えば、左折又は右折が記憶されている。
確認行動の項目には、各交差点形状パターンの交差点を通過する際（進入前、又は進入中）に、運転者が安全確認すべき方向（右又は左）、その角度、時間などの項目が１つ以上記憶されている。角度は、例えば、車両の正面方向に対する運転者の顔の向き、又は視線の方向を示す。
【００７９】
例えば、評価テーブル６３ａのＮｏ．１の場合（生活道路の十字路を左折するパターン）では、確認行動１として、進入前における左確認がａ度以上でｔ１秒間以上行われたかを評価する項目が設定されている。この評価は、交差点進入前に歩行者や二輪車などの巻き込み確認を行ったか否かの評価である。
確認行動２には、進入前における右確認がａ度以上でｔ１秒間以上行われたかを評価する項目が設定されている。この評価は、交差点で右折してくる対向車の有無、又は車両の前方から交差点を渡ろうとしている歩行者等の有無を確認したか否かの評価である。
確認行動３には、進入中における左確認がｂ度以上でｔ２秒間以上行われたかを評価する項目が設定されている。この評価は、交差点を渡ろうとしている歩行者等の有無、左折後の前方（進路切替方向）の安全を確認したか否かの評価である。
【００８０】
評価データ記憶部６４には、サーバコンピュータ５０で実行された運転者の安全確認動作の評価結果、すなわち、車載機１０毎に、少なくとも交差点における運転者３の安全確認動作の評価結果に関する情報が記憶される。
図７は、評価データ記憶部６４に記憶されている評価データファイルの構造の一例を示す図である。評価データファイル６４ａには、車載機１０の識別情報、交差点通過日時、交差点位置、評価条件（評価テーブルから選択された交差点形状パターンのナンバー）、及び評価結果が含まれている。評価結果には、例えば、評価テーブル６３ａから選択された評価条件での評価を基に点数化又はランク付けされた評価データが記憶される。
運転者情報記憶部６５には、事業者が管理する運転者３に関する各種情報が記憶されている。
【００８１】
図８は、実施の形態に係るサーバ装置の機能構成ブロック図である。
サーバコンピュータ５０の中央処理装置５１は、判別用データ取得部５４、方向推定部５５、交差点判別部５６、評価条件選択部５７、及び安全確認評価部５８を含んで構成されている。
【００８２】
判別用データ取得部５４は、検出データ蓄積部６１から運転評価を行う交差点で検出された検出データを読み出し、該検出データを用いて、判別用データ蓄積部６２から運転評価を行う交差点の形状パターンの判別に用いる判別用データを取得する処理を行う。
例えば、判別用データ取得部５４は、検出データ蓄積部６１から運転評価を行う交差点で検出された位置データ（経度、及び緯度）を読み出し、該位置データに基づいて、判別用データ蓄積部６２に蓄積されている地図データ（広域地図データ）から運転評価を行う交差点部分の地図データ（交差点地図データ）を取得する処理を行う。
【００８３】
方向推定部５５は、検出データ蓄積部６１から、運転評価を行う交差点で検出された検出データを読み出し、該検出データを用いて、前記運転評価を行う交差点で曲がった方向を推定する処理を実行する。
例えば、方向推定部５５は、検出データ蓄積部６１から運転評価を行う交差点を通過するときに検出された角速度データを読み出し、該角速度データの値の正負を基に車両２の右左折方向を推定してもよい。例えば、角速度データの値が正の場合、右折と推定し、積分値が負の場合、左折と推定することができる。また、角速度データの積分値を演算し、演算した積分値の正負に基づいて、車両２の右左折方向を推定してもよい。
或いは、方向推定部５５は、検出データ蓄積部６１から運転評価を行う交差点を通過するときに検出された位置データ（緯度、及び経度）を読み出し、位置データの時系列変化に基づいて、車両２の右左折方向を推定してもよい。
【００８４】
交差点判別部５６は、判別用データ取得部５４により取得された前記判別用データを用いて、前記運転評価を行う交差点の形状パターンを判別する処理を実行する。
例えば、交差点判別部５６は、判別用データ取得部５４により取得された交差点地図データを用いて、道路の交差形状の画像認識処理を行い、運転評価を行う交差点の形状パターンを判別する処理を行う。画像認識処理には、例えば、テンプレートマッチングによる交差点形状の認識処理を行ってもよい。この場合は、予め複数種類の交差点形状のテンプレートを記憶しておき、前記交差点地図データと、前記テンプレートとのパターンマッチング処理により、運転評価を行う交差点の形状パターンを判別してもよい。
【００８５】
または、交差点判別部５６にニューラルネットワークを用いて、交差点の形状バターンの画像認識処理を行うようにしてもよい。
図９は、交差点判別部５６をニューラルネットワークで構成した例を示す概念図である。
ニューラルネットワーク５６ａは、入力層５６ｂ、中間層（隠れ層ともいう）５６ｃ、出力層５６ｄを含む複数の層で区分けされ、複数のニューロン（ユニットともいう）によって信号が処理され、出力層５６ｄから分類結果が出力される構成となっている。
ニューラルネットワーク５６ａは、例えば、様々な交差点形状の地図画像を教師データとして予め学習処理を行って作成した学習済み分類器として機能する。
【００８６】
例えば、入力層５６ｂに、判別用データ取得部５４によって判別用データ蓄積部６２から取得された交差点地図データ６２ａの画素情報が入力され、中間層５６ｃで、交差点地図データ６２ａに対し、学習済みの重み付け係数に基づく演算が実行され、出力層５６ｄから交差点の形状パターンの判別結果が出力されるように構成されている。
【００８７】
入力層５６ｂは、ニューラルネットワーク５６ａに与える情報を取り込む層である。例えば、地図画像の画素数に対応したユニット数を備え、各ニューロンに地図画像の各画素情報が入力される。
【００８８】
中間層５６ｃを構成する各ニューロンは、複数の入力値に重み係数を積算して加算し、さらにしきい値を減算した値を伝達関数（例えば、ステップ関数、又はシグモイド関数など）で処理した値を出力する処理を行い、入力層５６ｂに入力された地図画像の交差点形状の特徴を抽出していく。例えば、中間層５６ｃの浅い層では、地図画像における交差点形状の小さい特徴（道路の境界部分の特徴など）が認識され、層が深くなる（出力側になる）につれて、小さい特徴が組み合わされて、交差点の大きな特徴（道路の交差形状の特徴など）が認識される。
【００８９】
出力層５６ｄを構成する各ニューロンは、ニューラルネットワーク５６ａが算出した結果を出力する。例えば、評価テーブル６３ａに設定された交差点形状バターン数のニューロンで構成され、いずれの交差点の形状パターンに属するのかを分類（識別）した結果を出力する。
【００９０】
評価条件選択部５７は、評価テーブル記憶部６３から評価テーブル６３ａを読み出し、評価テーブル６３ａから、交差点判別部５６で判別された前記交差点の形状パターンと、方向推定部５５で推定された交差点で曲がった方向とに対応する評価条件を選択する処理を実行する。
【００９１】
安全確認評価部５８は、評価条件選択部５７により選択された評価条件と、運転評価を行う交差点で検出された検出データとに基づいて、交差点における運転者の安全確認動作を評価する処理を実行し、評価結果を評価データ記憶部６４に記憶する。
【００９２】
安全確認評価部５８は、まず、車両２の交差点への進入時刻を推定する処理を行う。例えば、安全確認評価部５８は、検出データ蓄積部６１に記憶された角速度データ（車載機１０から交差点通過時に送信されてきた角速度データ）の積分値を演算し、演算された積分値が所定の積分比率に到達した時刻を検出し、この検出時刻を交差点への進入時刻として推定する。
【００９３】
そして、安全確認評価部５８は、評価テーブル６３ａから選択された評価条件に基づいて、交差点への進入時刻の前後所定時間内における運転者の安全確認動作を評価する処理を行う。
安全確認評価部５８は、まず、検出データ蓄積部６１に蓄積された検出データに基づいて、進入時刻の前後所定時間内における運転者の顔の向き又は視線の方向の少なくともいずれかの振り角度及び振り時間を検出する。
【００９４】
次に安全確認評価部５８は、評価テーブル６３ａから選択された評価条件と、進入時刻より前の所定時間（進入前）における、振り角度及び振り時間とに基づいて、交差点への進入前の安全確認動作を評価する処理を行う。なお、前記選択された評価条件に左右の各方向の確認行動が含まれている場合、左右の各方向の検出順序は問わない。
【００９５】
例えば、右方向の安全確認については、（１）右方向の確認タイミングが適切であるか否か、(２)右方向への振り角度が所定角度以上であるか否か、（３）前記所定角度以上の状態が所定時間以上継続しているか否かを判定する。上記（１）右方向の確認タイミングが適切であるか否かは、例えば、進入時刻の所定時間前までに、右方向への振り角度が所定角度以上になったか否かにより判定することができる。
【００９６】
同様に、左方向の安全確認については、（４）左方向の確認タイミングが適切であるか否か、（５）左方向への振り角度が所定角度以上であるか否か、（６）前記所定角度以上の状態が所定時間以上継続しているか否かを判定する。上記（４）左方向の確認タイミングが適切であるか否かは、例えば、進入時刻の所定時間前までに、左方向への振り角度が所定角度以上になったか否かにより判定することができる。
【００９７】
また、安全確認評価部５８は、評価テーブル６３ａから選択された評価条件と、進入時刻より後の所定時間（進入中）における、振り角度及び振り時間とに基づいて、交差点での進路変更方向、例えば、右折先又は左折先の安全確認動作を評価する処理を行う。
例えば、進路変更方向の安全確認については、（７）進路変更方向の確認タイミングが適切であるか否か、（８）右折又は左折する進路変更方向への振り角度が所定角度以上であるか否か、（９）前記所定角度以上の状態が所定時間以上継続しているか否かを判定する。上記（７）進路変更方向の確認タイミングが適切であるか否かは、例えば、進入時刻より後の所定時間までに、進路変更方向への振り角度が所定角度以上になったか否かにより判定することができる。
【００９８】
さらに、安全確認評価部５８は、進入時刻の前後所定時間における車両２の走行速度に基づいて、運転者の減速意識を評価する処理を行ってもよい。例えば、（１０）進入時刻の前後所定時間における車両２の走行速度の最高値が、所定の速度（たとえば、交差点を安全に曲がって通過できる上限速度）以下であるかを判定することにより、減速意識の有無を評価してもよい。
【００９９】
安全確認評価部５８は、評価テーブル６３ａから選択された評価条件に設定された各確認行動について、上記項目（１）〜（１０）の判定方法に基づいて評価を行い、交差点毎の評価点を算出する処理を行う。例えば、評価条件に設定された各確認行動について、確認タイミング、確認角度、及び確認時間の評価結果を合計し、必要な統計処理（平均化、又は正規化処理など）を施して、交差点毎の点数又はランク付けによるスコアを算出する。
そして、安全確認評価部５８は、算出した交差点毎の評価点を記憶ユニット６０の評価データ記憶部６４に記憶する処理を行う。
【０１００】
また、サーバコンピュータ５０は、事業者端末８０のブラウザから要求された各種リクエストを処理して、ブラウザを通じて事業者端末８０に各種リクエストに対応する処理結果などを提示する処理を行ってもよい。
例えば、サーバコンピュータ５０が、事業者端末８０から運転者の運転評価結果の送信リクエストを受け付けた場合、評価データ記憶部６４に記憶された運転者の評価データに基づいて、所定の形式の運転評価報告書を作成し、事業者端末８０のブラウザを通じて、運転評価報告書を提示する処理などを実行してもよい。これら処理は、サーバコンピュータ５０とは別のサーバコンピュータで実行してもよい。
【０１０１】
［動作例］
図１０は、実施の形態に係る車載機１０におけるドライバモニタリング部２０が行う処理動作を示すフローチャートである。本処理動作は、例えば、ドライバカメラ２１で画像が撮像されるタイミング（例えば、毎フレーム、又は所定間隔のフレーム毎）で実行される。
【０１０２】
まず、画像解析部２２は、ドライバカメラ２１で撮像された画像を取得する（ステップＳ１）。
【０１０３】
次に画像解析部２２は、取得した画像から運転者の顔、又は顔の領域を検出する処理を行う（ステップＳ２）。画像から顔を検出する手法は特に限定されないが、高速で高精度に顔を検出する手法を採用することが好ましい。
【０１０４】
画像解析部２２は、ステップＳ２で検出した顔の領域から、目、鼻、口、眉などの顔器官の位置や形状を検出する処理を行う（ステップＳ３）。画像中の顔の領域から顔器官を検出する手法は特に限定されないが、高速で高精度に顔器官を検出できる手法を採用することが好ましい。例えば、画像解析部２２が、３次元顔形状モデルを作成し、これを２次元画像上の顔の領域にフィッティングさせ、顔の各器官の位置と形状を検出する手法が採用され得る。この手法によれば、ドライバカメラ２１の設置位置や画像中の顔の向きなどに関わらず、正確に顔の各器官の位置と形状を検出することが可能となる。画像中の人の顔に３次元顔形状モデルをフィッティングさせる技術として、例えば、特開２００７−２４９２８０号公報に記載された技術を適用することができるが、これに限定されるものではない。
【０１０５】
次に画像解析部２２は、ステップＳ３で求めた顔の各器官の位置や形状のデータに基づいて、運転者の顔の向きを検出する（ステップＳ４）。例えば、上記３次元顔形状モデルのパラメータに含まれている、上下回転（Ｘ軸回り）のピッチ角、左右回転（Ｙ軸回り）のヨー角、及び全体回転（Ｚ軸回り）のロール角を運転者の顔の向きに関する情報として検出してもよい。
【０１０６】
次に画像解析部２２は、ステップＳ４で求めた運転者の顔の向き、及びステップＳ３で求めた運転者の顔器官の位置や形状、特に目の特徴点（目尻、目頭、及び瞳孔）の位置や形状に基づいて、視線の方向を検出する（ステップＳ５）。
視線の方向は、例えば、様々な顔の向きと視線方向の目の画像の特徴量（目尻、目頭、瞳孔の相対位置、又は強膜（いわゆる白目）部分と虹彩（いわゆる黒目）部分の相対位置、濃淡、テクスチャーなど）とを予め学習器を用いて学習し、これら学習した特徴量データとの類似度を評価することで検出してもよい。または、前記３次元顔形状モデルのフィッティング結果などを用いて、顔の大きさや向きと目の位置などから眼球の大きさと中心位置とを推定するとともに、瞳孔の位置を検出し、眼球の中心と瞳孔の中心とを結ぶベクトルを視線方向として検出してもよい。
【０１０７】
次に画像解析部２２は、ステップＳ３で求めた運転者の顔器官の位置や形状、特に目の特徴点（目尻、目頭、瞳孔、及びまぶた）の位置や形状に基づいて、目開度を検出する（ステップＳ６）。
【０１０８】
次に画像解析部２２は、ステップＳ４で検出した運転者の顔の向きと、ステップＳ５で検出した運転者の視線の方向と、ステップＳ６で検出した運転者の目開度と、運転者の画像と、撮像時刻とを対応付けて、画像情報としてプラットフォーム部１１に送信し（ステップＳ７）、その後、画像解析部２２は、ステップＳ１に戻り、処理を繰り返す。
【０１０９】
図１１は、実施の形態に係る車載機１０における制御部１９が行う処理動作を示すフローチャートである。本処理動作は、例えば、数十ｍｓ〜数秒の所定周期で実行される。
【０１１０】
制御部１９は、加速度センサ１２で測定された加速度データを取得してＲＡＭ１９ｂに記憶する（ステップＳ１１）。
【０１１１】
また、制御部１９は、角速度センサ１３で検出された角速度データを取得してＲＡＭ１９ｂに記憶する（ステップＳ１２）。
【０１１２】
また、制御部１９は、ドライバモニタリング部２０から送信されてきた画像情報を取得してＲＡＭ１９ｂに記憶する（ステップＳ１３）。
【０１１３】
さらに、制御部１９は、ドライブレコーダ部３０から送出されてきたデータ（車外画像と車内画像のデータ）を取得してＲＡＭ１９ｂに記憶する（ステップＳ１４）。
【０１１４】
また、制御部１９は、ＧＰＳ受信部１４で検出された位置データを取得する（ステップＳ１５）。
【０１１５】
次に制御部１９は、位置データの単位時間変化に基づいて走行速度を算出し、位置データと走行速度とをＲＡＭ１９ｂに記憶する（ステップＳ１６）。
【０１１６】
次に制御部１９は、車両２が交差点に進入したか否かを判断する（ステップＳ１７）。例えば、制御部１９は、角速度の積分値が車両の交差点への進入を示す閾値以上であり、かつ走行速度が交差点への進入を示す所定の上限速度以下であるか否かを判断する。
【０１１７】
ステップＳ１７において、制御部１９は、車両２が交差点に進入したと判断すれば、次に制御部１９は、車両２が交差点を通過したか否かを判断する（ステップＳ１８）。例えば、角速度の積分値が、車両が交差点を通過したことを示す閾値以下になり、かつ走行速度が、交差点の通過を示す所定の下限速度以上になったか否かを判断する。
【０１１８】
制御部１９が、車両２が交差点を通過したと判断すれば、制御部１９は、車両２が交差点に進入した前後所定時間（数十秒程度）に取得した検出データをＲＡＭ１９ｂから読み出し、通信部１５を制御して検出データをサーバ装置４０へ送信する処理を実行する（ステップＳ１９）。その後、制御部１９は、ステップＳ１１に戻り、処理を繰り返す。車載機１０からサーバ装置４０へ送信される検出データの構造の一例は図３に示している。
【０１１９】
なお、制御部１９は、ステップＳ１９の処理に代えて、ＲＡＭ１９ｂから読み出した検出データを記憶部１７（例えば、着脱式記憶媒体）に記憶してもよい。そして、一日の走行終了後、運転者３が車載機１０から記憶部１７を取り外し、記憶部１７に記憶された検出データを事業者端末８０に読み込ませて、事業者端末８０がサーバ装置４０に送信するようにしてもよい。
【０１２０】
図１２は、実施の形態に係るサーバ装置４０における中央処理装置５１が行う処理動作を示すフローチャートである。
中央処理装置５１は、車載機１０から送信されてきた検出データを受信したか否かを判断する（ステップＳ２１）。
【０１２１】
中央処理装置５１は、車載機１０から検出データを受信したと判断すれば、次に、車載機１０から受信した検出データを、車載機１０の識別情報と対応付けて検出データ蓄積部６１に記憶する（ステップＳ２２）。
【０１２２】
その後、中央処理装置５１は、運転者の安全運転行動の評価を実行するタイミングか否かを判断する（ステップＳ２３）。前記評価を実行するタイミングか否かは、例えば、車載機１０から車両２の運転終了を示す信号を受信したか否かで判断してもよい。
【０１２３】
中央処理装置５１は、前記評価を実行するタイミングではないと判断すればステップＳ２１に戻る。
【０１２４】
一方、中央処理装置５１は、前記評価を実行するタイミングになったと判断すれば、車載機１０が搭載された車両２の運転者３の交差点における安全確認動作の評価処理を行う（ステップＳ２４）。ステップＳ２４で実行される評価処理については、図１３のフローチャートを用いて説明する。
【０１２５】
その後、中央処理装置５１は、評価処理の結果を、車載機１０又は運転者３の情報と対応付けて評価データ記憶部６４に記憶する処理を行い（ステップＳ２５）、処理を終える。
【０１２６】
図１３は、実施の形態に係るサーバ装置４０における中央処理装置５１が行う安全確認動作の評価処理動作を示すフローチャートの一例である。なお、本フローチャートは、車載機１０が搭載された車両２の１日の運転が終了するまでに通過した各交差点における運転者３の安全確認動作を評価する処理動作を示している。
【０１２７】
中央処理装置５１は、検出データ蓄積部６１から車載機１０の検出データを読み出す（ステップＳ３１）。
【０１２８】
次に中央処理装置５１は、読み出した検出データの数、すなわち、通過した交差点の数Ｎを時系列でカウントする（ステップＳ３２）。
【０１２９】
次に中央処理装置５１は、通過した交差点の数Ｎが１以上であるか否かを判断する（ステップＳ３３）。
【０１３０】
中央処理装置５１は、ステップＳ３３で、交差点の数Ｎが１以上でないと判断した場合、交差点の数Ｎ＝０を評価データ記憶部６４に記憶して（ステップＳ３４）、処理を終える。
【０１３１】
一方、中央処理装置５１は、ステップＳ３３で、交差点の数Ｎが１以上であると判断すれば、評価した交差点の数を時系列順にカウントするカウンタＣに１を加算する（ステップＳ３５）。
【０１３２】
次に中央処理装置５１は、Ｃ番目に通過した交差点における検出データを用いて、判別用データ蓄積部６２から、運転評価を行う交差点の形状パターンの判別用データを取得する（ステップＳ３６）。
例えば、中央処理装置５１は、Ｃ番目の検出データに含まれる交差点通過時の位置データ（経度、及び緯度）に基づいて、判別用データ蓄積部６２に蓄積されている地図データ（例えば、広域地図データ）から運転評価を行う交差点部分の地図データ（交差点地図データ）を取得する処理を行う。
【０１３３】
次に中央処理装置５１は、読み出した検出データを用いて、交差点で曲がった方向を推定する処理を実行する（ステップＳ３７）。
例えば、中央処理装置５１は、検出データに含まれる角速度データが正負のいずれかであるかに基づいて、車両２の右左折方向を推定する。例えば、角速度データが、正の場合、右折と推定し、負の場合、左折と推定する設定とすることができる。また、角速度の積分値を演算し、演算した積分値の正負に基づいて、車両２の右左折方向を推定してもよいし、検出データに含まれる位置データ（緯度、及び経度）の時系列変化に基づいて、車両２の右左折方向を推定してもよい。
【０１３４】
次に中央処理装置５１は、ステップＳ３７で取得した判別用データを交差点判別部５６へ入力し、交差点の形状パターンを判別する処理を実行する（ステップＳ３８）。
例えば、上記したニューラルネットワーク５６ａを用いて、交差点の形状バターンの画像認識処理を行う。入力層５６ｂに、判別用データとして取得された交差点地図データ６２ａを入力し、中間層５６ｃで、交差点地図データ６２ａに対し、重み付け係数に基づく演算を実行し、出力層５６ｄから交差点の形状パターンの判別結果を出力する処理を実行する。または、中央処理装置５１は、判別用データとして取得された交差点地図データを用いて、テンプレートマッチングなどの画像認識処理で道路の交差形状の判別を行い、交差点の形状パターンの判定結果を出力する処理を実行してもよい。
【０１３５】
次に中央処理装置５１は、交差点判別部５６で判定された交差点の形状パターンの判定結果を取得する（ステップＳ３９）。
【０１３６】
その後、中央処理装置５１は、評価テーブル記憶部６３から評価テーブル６３ａを読み出す（ステップＳ４０）。
【０１３７】
次に中央処理装置５１は、評価テーブル６３ａから、ステップＳ３９で取得された前記交差点の形状パターンと、ステップＳ３７で推定された前記交差点で曲がった方向とに対応する評価条件を選択する処理を行う（ステップＳ４１）。
【０１３８】
次に中央処理装置５１は、ステップＳ４１で選択された評価条件と、Ｃ番目の検出データとに基づいて、Ｃ番目に通過した交差点における運転者の安全確認動作を評価する処理を行う（ステップＳ４２）。
【０１３９】
中央処理装置５１は、例えば、評価テーブルから選択された評価条件に設定された各確認行動について、上記した項目（１）〜（１０）の判定方法に基づいて、確認タイミング、確認角度、及び確認時間などの評価を行い、評価結果を統計処理して、当該交差点における点数又はランク付けによる評価スコアを算出する。次に中央処理装置５１は、評価結果を評価データ記憶部６４に記憶する処理を行う（ステップＳ４３）。
【０１４０】
次に中央処理装置５１は、カウンタＣが交差点の数Ｎになったか否かを判断し（ステップＳ４４）、カウンタＣが交差点の数Ｎになっていないと判断すれば、中央処理装置５１は、ステップＳ３５に戻り、処理を繰り返す。一方、中央処理装置５１は、カウンタＣが交差点の数Ｎになったと判断すれば、その後処理を終える。
【０１４１】
実施の形態に係るサーバ装置４０によれば、運転評価を行う交差点で検出された検出データの位置データを用いて、判別用データ蓄積部６２から判別用データが取得され、該判別用データを用いて、前記運転評価を行う交差点の形状パターンが判別される。そして、判別された交差点の形状パターンに対応する評価条件が評価テーブル６３ａから選択され、選択された評価条件と、前記運転評価を行う交差点で検出された検出データとに基づいて、交差点における運転者の安全確認動作が評価される。
したがって、運転評価を行う交差点の形状パターンに対応する評価条件で、交差点における運転者の安全確認動作の評価を効率的かつ精度良く実行することができる。
【０１４２】
また、評価テーブル記憶部６３の評価テーブル６３ａには、交差点形状パターンと交差点で曲がる方向との組み合わせ毎に、評価条件が設定されているので、交差点毎に評価条件を設定しておく必要がなく、サーバ装置４０において、評価条件を記憶するメモリ容量を削減でき、また、評価条件の選択も効率良く行うことができる。
【０１４３】
また、サーバ装置４０によれば、検出データ蓄積部６１を備えているので、車載機１０毎に検出データを蓄積することができる。また、判別用データ蓄積部６２に判別用データを蓄積しておくことができる。したがって、車載機１０の数が増えて、評価する処理量が増えた場合であっても、車載機１０毎に適切な判別用データを効率よく取得することができ、交差点における運転者毎の安全確認動作の評価処理を効率良く実行することができる。
【０１４４】
また、サーバ装置４０によれば、運転評価を行う交差点で検出された位置データを用いて、判別用データ蓄積部６２から交差点地図データが取得され、該交差点地図データを用いて、運転評価を行う交差点の形状パターンが判別される。したがって、運転評価を行う交差点の形状パターンの判別を効率的かつ精度良く実行することができる。
【０１４５】
また、サーバ装置４０によれば、交差点判別部５６にニューラルネットワーク５６ａを用いることで、運転評価を行う交差点の形状パターンの判別を効率的かつ精度良く実行することができる。
【０１４６】
また、サーバ装置４０によれば、安全確認評価部５８が、運転評価を行う交差点毎に、確認タイミング、確認角度、及び確認時間の評価を行い、各評価を基に点数化又はランク付けした評価結果を演算するので、各運転者の交差点における安全確認動作を総合的に評価することができ、また、前記評価結果を事業者端末８０に分かりやすい形態で出力することが可能となる。
【０１４７】
また、サーバ装置４０によれば、交差点の形状に応じて、交差点への進入前における運転者の左右の安全確認動作を正確に評価することができる。また、交差点への進入後における運転者の進路変更方向に対する安全確認動作を正確に評価することができる。さらに、進入時刻の前後所定時間における車両２の速度に基づいて、運転者の減速意識が評価されるので、交差点における運転者の安全確認意識を正確に評価することができる。さらに、これらの評価結果に基づいて、交差点毎の安全確認動作の評価点を算出することにより、運転者が通過した交差点全体における安全確認動作をより高度に評価することができる。
【０１４８】
また、車載機１０によれば、運転者３の状態、車両２の位置、及び車両２の挙動を含む検出データをサーバ装置４０に出力するので、サーバ装置４０において運転者の安全確認動作の評価を実行させることができ、車載機１０の処理負担を軽減することができる。また、その構成を簡略化することができ、車両２への後付けも容易に行うことができる。
【０１４９】
また、運転評価システム１によれば、サーバ装置４０と、車載機１０とを含んで構成されているので、サーバ装置４０の効果を得ることができ、また、車載機１０の処理負担を軽減することができ、低コストで導入可能なシステムを構築することができる。
【０１５０】
以上、本発明の実施の形態を詳細に説明したが、上記説明はあらゆる点において本発明の例示に過ぎない。本発明の範囲を逸脱することなく、種々の改良や変更を行うことができることは言うまでもない。
【０１５１】
［変形例］
上記実施の形態に係るサーバ装置４０では、判別用データ蓄積部６２に、判別用データとして地図データが蓄積されている場合について説明した。別の実施の形態では、車載機１０の車外カメラ３１で撮像された車外画像データ（外界画像データ）が、判別用データとして判別用データ蓄積部６２に蓄積されるように構成してもよい。
この場合、判別用データ取得部５４により取得される判別用データは、車両が通過した交差点で撮像又は検出された車外画像データとなり、交差点判別部５６では、車外画像データに基づいて、運転評価を行う交差点の形状パターンを判別する処理が実行される。
【０１５２】
また、この場合、交差点判別部５６がニューラルネットワーク５６ａで構成されてもよく、例えば、入力層５６ｂに、判別用データとして車外画像データが入力され、中間層５６ｃで、車外画像データに対し、重み付け係数に基づく演算が実行され、出力層５６ｄから交差点の形状パターンの判別結果が出力されるように構成してもよい。
【０１５３】
［付記］
本発明の実施の形態は、以下の付記の様にも記載され得るが、これらに限定されない。
（付記１）
車載機（１０）で検出された、運転者の状態、車両の位置、及び該車両の挙動を含む検出データを用いて、運転者の運転評価を行う運転評価装置（４０）であって、
前記運転評価を行う交差点で検出された前記検出データのうちの少なくともいずれかを用いて判別用データを取得する判別用データ取得部（５４）と、
前記判別用データを用いて、前記運転評価を行う交差点の形状パターンを判別する交差点判別部（５６）と、
交差点の形状パターン毎に、運転者が行うべき安全確認動作の評価条件が設定された評価テーブル（６３ａ）が記憶された評価テーブル記憶部（６３）と、
前記評価テーブル（６３ａ）から、前記交差点判別部（５６）で判別された前記交差点の形状パターンに対応する前記評価条件を選択する評価条件選択部（５７）と、
該評価条件選択部（５７）により選択された前記評価条件と、前記運転評価を行う交差点で検出された前記検出データとに基づいて、前記交差点における運転者の安全確認動作を評価する安全確認評価部（５８）とを備えていることを特徴とする運転評価装置。
【０１５４】
（付記２）
車両に搭載される車載機（１０）であって、
前記車両の運転者の状態を検出する運転者モニタリング部（２０）と、
前記車両の位置を検出する位置検出部（１４）と、
戦記車両の挙動を検出する挙動検出部（１２，１３）と、
前記運転者モニタリング部（２０）、前記位置検出部（１４）、及び前記挙動検出部（１２，１３）で検出されたデータを、前記運転者の安全確認動作を評価する運転評価装置（４０）に出力する出力部（１５）とを備えていることを特徴とする車載機。
【０１５５】
（付記３）
運転評価装置（４０）と、車載機（１０）とを含んで構成されていることを特徴とする運転評価システム（１）。
【０１５６】
（付記４）
車載機（１０）で検出された、運転者の状態、車両の位置、及び該車両の挙動を含む検出データを用いて、運転者の運転評価を行う運転評価方法であって、
前記運転評価を行う交差点で検出された前記検出データのうちの少なくともいずれかを用いて判別用データを取得する第１のステップ（Ｓ３６）と、
前記判別用データを用いて、前記運転評価を行う交差点の形状パターンを判別する第２のステップ（Ｓ３９）と、
交差点の形状パターン毎に、運転者が行うべき安全確認動作の評価条件が設定された評価テーブルから、前記第２のステップで判別された前記交差点の形状パターンに対応する前記評価条件を選択する第３のステップ（Ｓ４１）と、
該第３のステップ（Ｓ４１）により選択された前記評価条件と、前記運転評価を行う交差点で検出された前記検出データとに基づいて、前記交差点における運転者の安全確認動作を評価する第４のステップ（Ｓ４２）とを含むステップを実行させることを特徴とする運転評価方法。
【０１５７】
（付記５）
車載機（１０）で検出された、運転者の状態、車両の位置、及び該車両の挙動を含む検出データを用いて、運転者の運転評価を行う処理を少なくとも１つのコンピュータに実行させるための運転評価プログラムで（５３）あって、
前記少なくとも１つのコンピュータ（５１）に、
前記運転評価を行う交差点で検出された前記検出データのうちの少なくともいずれかを用いて判別用データを取得する第１のステップ（Ｓ３６）と、
前記判別用データを用いて、前記運転評価を行う交差点の形状パターンを判別する第２のステップ（Ｓ３９）と、
交差点の形状パターン毎に、運転者が行うべき安全確認動作の評価条件が設定された評価テーブルから、前記第２のステップで判別された前記交差点の形状パターンに対応する前記評価条件を選択する第３のステップ（Ｓ４１）と、
該第３のステップ（Ｓ４１）により選択された前記評価条件と、前記運転評価を行う交差点で検出された前記検出データとに基づいて、前記交差点における運転者の安全確認動作を評価する第４のステップ（Ｓ４２）とを実行させることを特徴とする運転評価プログラム。
【符号の説明】
【０１５８】
１  運転評価システム
２  車両
３  運転者
４  通信ネットワーク
１０  車載機
１１  プラットフォーム部
１２  加速度センサ
１３  角速度センサ
１４  ＧＰＳ受信部
１５  通信部
１６  報知部
１７  記憶部
１８  外部インターフェース（外部Ｉ／Ｆ）
１９  制御部
１９ａ  ＣＰＵ
１９ｂ  ＲＡＭ
１９ｃ  ＲＯＭ
２０  ドライバモニタリング部
２１  ドライバカメラ
２２  画像解析部
２３  インターフェース（Ｉ／Ｆ）
３０  ドライブレコーダ部
３１  車外カメラ
３２  車内カメラ
４０  サーバ装置（運転評価装置）
４１  通信ユニット
５０  サーバコンピュータ
５１  中央処理装置
５２  メインメモリ
５３  制御プログラム
５４  判別用データ取得部
５５  方向推定部
５６  交差点判別部
５７  評価条件選択部
５８  安全確認評価部
６０  記憶ユニット
６１  検出データ蓄積部
６１ａ  検出データファイル
６２  判別用データ蓄積部
６３  評価テーブル記憶部
６３ａ  評価テーブル
６４  評価データ記憶部
６４ａ  評価データファイル
６５  運転者情報記憶部
８０  事業者端末
【図１】
2019159641.tif 000003
【図２】
2019159641.tif 000004
【図３】
2019159641.tif 000005
【図４】
2019159641.tif 000006
【図５】
2019159641.tif 000007
【図６】
2019159641.tif 000008
【図７】
2019159641.tif 000009
【図８】
2019159641.tif 000010
【図９】
2019159641.tif 000011
【図１０】
2019159641.tif 000012
【図１１】
2019159641.tif 000013
【図１２】
2019159641.tif 000014
【図１３】
2019159641.tif 000015